(57)【要約】【課題】ディスク装置内部の温度上昇を抑制することができるディスク装置を提供する。【解決手段】ディスク７を駆動するディスク駆動機構８と、筐体２と、筐体２とともにディスク駆動機構８を収容するディスク収容室１７を形成し、ディスク収納室１７の下部に設けられた隔壁１６を備えたディスク装置１において、筐体２の上面に、ディスク収納室１７内に外気を吸気するための開口部１８を設けた。また、筐体２の側面に、ディスク収納室１７内の空気を外部に排出するための開口部２２を設けた。【選択図】        図３
2004241024.tif 000002
【特許請求の範囲】
【請求項１】
ディスクを駆動するディスク駆動機構と、筐体と、該筐体とともに前記ディスク駆動機構を収容するディスク収容室を形成し、該ディスク収納室の下部に設けられた隔壁と、を備えたディスク装置において、
前記筐体の上面に、前記ディスク収納室内に外気を吸気するための第１の開口部を設けたことを特徴とするディスク装置。
【請求項２】
前記ディスク装置は更に、前記筐体の側面に、前記ディスク収納室内に外気を吸気し又は前記ディスク収納室内の空気を外部に排出するための第２の開口部を設けたことを特徴とする請求項１記載のディスク装置。
【請求項３】
前記ディスク装置は更に、前記隔壁に、外気を吸気するための第３の開口部を設けたことを特徴とする請求項１又は請求項２記載のディスク装置。
【請求項４】
前記ディスク駆動機構は、前記ディスクを着脱可能に装着するターンテーブルと、該ターンテーブルが取り付けられた回転軸を有するスピンドルモータとを備え、
前記第１の開口部は、前記スピンドルモータの回転軸上に形成されることを特徴とする請求項１から請求項３のいずれか一項に記載のディスク装置。
【請求項５】
前記ディスク装置は、前記第１の開口部、前記第２の開口部及び前記第３の開口部のうちの少なくともいずれか１つと前記ディスク収容室との間に、塵埃を堆積させるための塵埃堆積面を形成したことを特徴とする請求項３又は請求項４記載のディスク装置。
【請求項６】
前記ディスク装置は更に、前記第１の開口部、前記第２の開口部及び前記第３の開口部のうちの少なくともいずれか１つに外気又は収納室内の空気を案内するための案内路を有することを特徴とする請求項３から請求項５のいずれか一項に記載のディスク装置。
【請求項７】
前記ディスク装置は更に、前記第１の開口部、前記第２の開口部及び前記第３の開口部のうちの少なくともいずれか１つを覆う部材を有することを特徴とする請求項３から請求項６のいずれか一項に記載のディスク装置。
【請求項８】
ディスクを駆動するディスク駆動機構と、筐体と、該筐体とともに前記ディスク駆動機構を収容するディスク収容室を形成し、該ディスク収納室の下部に設けたれた隔壁と、を備えたディスク装置において、
前記隔壁に、前記ディスク収納室内に外気を吸気するための第１の開口部を設けたことを特徴とするディスク装置。
【請求項９】
前記ディスク装置は更に、前記筐体の側面に、前記ディスク収納室内に外気を吸気し又は前記ディスク収納室内の空気を外部に排出するための第２の開口部を設けたことを特徴とする請求項８記載のディスク装置。
【請求項１０】
前記ディスク装置は更に、前記第１の開口部又は前記第２の開口部に外気又は収納室内の空気を案内するための案内路を設けたことを特徴とする請求項８又は請求項９記載のディスク装置。
【発明の詳細な説明】
【０００１】
【発明の属する技術分野】
本発明は、筐体内にディスクの駆動機構等を配置したディスク装置に関する。
【０００２】
【従来の技術】
従来、筐体内にディスクの駆動機構等を配置したディスク装置が知られている。このようなディスク装置では、筐体内には、内部隔壁を隔てて信号処理基板などが配置され、この信号処理基板には、各回路が実装されている。したがって、この信号処理基板からは、消費電力に相当する発熱が生じる。また、ディスク装置の小型化が進むことから、スペース的にも消費電力の面からも、上記発熱を防止するためのファンなどの強制冷却装置を実装するようにした技術も行われている。
【０００３】
このような従来の問題点を解決する技術として特許文献１記載の技術が提案されている。図１０は、このような従来のディスク装置を説明するための図である。図１０に示すように、従来のディスク装置は、筐体１１０の一方の外側壁１１０Ａのディスク室１１４側に排気用の開口部１０４が形成されており、筐体１１０の他方の外側壁１１０Ｂの基板室側に吸気用の開口部１０６が形成されている。また、基板室とディスク室１１４の間の内部隔壁１１２には、ＯＰ１４２を配置するための開口部１１２Ａが形成されている。そして、光ディスクの高速回転によって発生した気流により、吸気用の開口部１０６から吸い込まれた空気が基板室側から穴１１２Ａを通ってディスク室１１４を通り、排気用の開口部１０４に排出される。すなわち、筐体１１０内に外気の通風路を形成し、光ディスクの高速回転によって冷気を流通させることにより、冷却用ファンなどを設けることなく内部冷却を行うことが可能となるというものである。
【０００４】
【特許文献１】
特開２００１−１５５４７９号公報
【発明が解決しようとする課題】
しかしながら、従来のディスク装置は、排気用の開口部１０４と、吸気用の開口部１０６と、開口部１１２Ａとを形成して、筐体１１０内に外気の通風路を形成し、光ディスクの高速回転によって冷気を流通させるようにし内部冷却するようにして、外部の外部の空気をディスク収納室に運ぶようにしているが、この従来のディスク装置の冷却方法では、外部の空気を効果的にディスク収納室に運ぶことができない。このため、冷却効率が悪く、ディスク装置内部の温度上昇を抑制することができないという問題がある。また、メカ部の温度上昇により、光ピックアップの寿命に悪影響を与えてしまう。また、効果的な気流が発生しないので塵埃の堆積にとっても好ましくない。
【０００５】
そこで、本発明は上記従来技術の問題点を解決し、ディスク装置内部の温度上昇を抑制することができるディスク装置を提供することを目的とする。
【０００６】
【課題を解決するための手段】
上記課題を解決するために、請求項１記載のディスク装置は、ディスクを駆動するディスク駆動機構と、筐体と、該筐体とともに前記ディスク駆動機構を収容するディスク収容室を形成し、該ディスク収納室の下部に設けられた隔壁と、を備えたディスク装置において、前記筐体の上面に、前記ディスク収納室内に外気を吸気するための第１の開口部を設けたことを特徴とする。
【０００７】
請求項１記載の発明によれば、筐体の上面に、ディスク収納室内に外気を吸気するための第１の開口部を設けたので、ディスクが回転することにより、ディスク収納室内におけるディスクの回転中心付近の気圧が下がるため、外気は、この第１の開口部を介して、ディスク収納室内に吸気される。これにより、ディスク装置内部の温度上昇を抑制することができる。
【０００８】
また、請求項２記載のディスク装置は、請求項１記載のディスク装置において、更に、前記筐体の側面に、前記ディスク収納室内に外気を吸気し又は前記ディスク収納室内の空気を外部に排出するための第２の開口部を設けたことを特徴とする。
【０００９】
請求項２記載の発明によれば、筐体の側面に、ディスク収納室内の空気を外部に排出するための第２の開口部を設けたので、第１の開口部からディスク収納室内に吸気された空気は、この第２の開口部を通じてディスク収納室内の外部に効率よく排出される。これにより、第１の開口部のみを設けた場合よりも整流効果が望めるため、さらに、ディスク装置内部の温度上昇を抑制することができるとともに、外気に含まれる塵埃がディスク装置内に堆積するのを防止することもできる。また、筐体の側面に、第２の開口部を設けたので、ディスク収納室内に外気を吸気することもできる。
【００１０】
また、請求項３記載のディスク装置は、請求項１又は請求項２記載のディスク装置において、更に、前記隔壁に、外気を吸気するための第３の開口部を設けたことを特徴とする。請求項３記載の発明によれば、隔壁に、外気を吸気するための第３の開口部を設けたので、ディスクが回転することにより、ディスク収納室内におけるディスクの回転中心付近の気圧が下がるため、外気は、この第３の開口部を介して、ディスク収納室内にさらに吸気される。これにより、ディスク装置内部の温度上昇を抑制することができる。
【００１１】
また、本発明は、請求項４記載のように、請求項１から請求項３のいずれか一項に記載のディスク装置において、前記ディスク駆動機構は、前記ディスクを着脱可能に装着するターンテーブルと、該ターンテーブルが取り付けられた回転軸を有するスピンドルモータとを備え、前記第１の開口部は、前記スピンドルモータの回転軸上に形成されることを特徴とする。
【００１２】
請求項４記載の発明によれば、第１の開口部は、スピンドルモータの回転軸上に形成されるので、筐体上面のディスクが回転する中心位置に第１の開口部を形成することができる。すなわち、ディスクが回転することによりディスク中心付近の気圧が最も低くなる箇所の上部に第１の開口部を形成することができる。これにより、外気を効率よくディスク収容室内に吸気できる。
【００１３】
また、請求項５記載のディスク装置は、請求項３又は請求項４記載のディスク装置において、前記第１の開口部、前記第２の開口部及び前記第３の開口部のうちの少なくともいずれか１つと前記ディスク収容室との間に、塵埃を堆積させるための塵埃堆積面を形成したことを特徴とする。
【００１４】
請求項５記載の発明によれば、第１の開口部、第２の開口部及び第３の開口部のうちの少なくともいずれか１つとディスク収容室との間に、塵埃を堆積させるための塵埃堆積面を形成したので、各開口部とディスク収容室との間で塵埃を堆積させることができる。このため、塵埃がディスク収容室内に侵入する量を少なくすることができる。
【００１５】
また、請求項６記載のディスク装置は、請求項３から請求項５のいずれか一項に記載のディスク装置において、更に、前記第１の開口部、前記第２の開口部及び前記第３の開口部のうちの少なくともいずれか１つに外気又は収納室内の空気を案内するための案内路を有することを特徴とする。
【００１６】
請求項６記載の発明によれば、第１の開口部、第２の開口部及び第３の開口部の少なくともいずれか１つに外気又は収納室内の空気を案内するための案内路を有するので、各開口部に外気を効果的に案内することができる。これにより、ディスク収容室内の温度上昇を抑制することができる。
【００１７】
また、請求項７記載のディスク装置は、請求項３から請求項６のいずれか一項に記載のディスク装置において、更に、前記第１の開口部、前記第２の開口部及び前記第３の開口部のうちの少なくともいずれか１つを覆う部材を有することを特徴とする。請求項７記載の発明によれば、第１の開口部、第２の開口部及び第３の開口部を覆う部材を有するので、塵埃が各開口部から直接侵入することを防止できる。
【００１８】
また、請求項８記載のディスク装置は、ディスクを駆動するディスク駆動機構と、筐体と、該筐体とともに前記ディスク駆動機構を収容するディスク収容室を形成し、該ディスク収納室の下部に設けたれた隔壁と、を備えたディスク装置において、前記隔壁に、前記ディスク収納室内に外気を吸気するための第１の開口部を設けたことを特徴とする。
【００１９】
請求項８記載の発明によれば、筐体下面に、ディスク収納室内に外気を吸気するための第１の開口部を設けたので、ディスクが回転することにより、ディスク収納室内におけるディスクの回転中心付近の気圧が下がるため、外気は、この第１の開口部を介して、ディスク収納室内に吸気される。これにより、ディスク装置内部の温度上昇を抑制することができる。
【００２０】
また、請求項９記載のディスク装置は、請求項８記載のディスク装置において、更に、前記筐体の側面に、前記ディスク収納室内に外気を吸気し又は前記ディスク収納室内の空気を外部に排出するための第２の開口部を設けたことを特徴とする。
【００２１】
請求項９記載の発明によれば、ディスク収納室内に外気を吸気し又はディスク収納室内の空気を外部に排出するための第２の開口部を設けたので、第１の開口部からディスク収納室内に吸気された空気は、この第２の開口部を通じてディスク収納室内の外部に効率よく排出される。これにより、第１の開口部のみを設けた場合よりも整流効果が多いため、さらに、ディスク装置内部の温度上昇を抑制することができるとともに、外気に含まれる塵埃がディスク装置内に堆積するのを防止することもできる。また、第２の開口部から収納室内の空気を外部に排出することもできる。
【００２２】
また、請求項１０記載のディスク装置は、請求項８又は請求項９記載のディスク装置において、更に、前記第１の開口部又は前記第２の開口部に外気又は収納室内の空気を案内するための案内路を設けたことを特徴とする。請求項１０記載の発明によれば、第１の開口部又は第２の開口部に外気又は収納室内の空気を案内するための案内路を設けたので、この案内路を通じてより多くの外気を各開口部に案内することができる。これにより、ディスク装置内部の温度上昇をさらに抑制することができる。また、この案内路を通じて収納室内の空気を案内することもできる。
【００２３】
【発明の実施の形態】
（第１の実施の形態）
以下、本発明を適用した一実施形態のディスク装置について、図面を参照しながら説明する。図１は、第１の実施の形態に係るディスク装置の外観斜視図を示している。１はディスク装置、２は筐体、３は筐体２の前面を構成する筐体前面部、４は筐体２の筐体前面部３を除いた側面部と上面部を形成するトップケース、５はディスクトレイの出入り口、１８は第１の開口部をそれぞれ示している。本実施の形態では、この第１の開口部１８は、図１に示すように、円形に形成されているがこれには限定されない。また、図２は、第１の実施の形態に係るディスク装置を説明するための図であって、図１のＡ―Ａ断面図を示している。なお、図１と同一の構成部分については同一符号を付するものとする。
【００２４】
図２に示すように、ディスク装置１は、ディスク７を駆動するディスク駆動機構８と、このディスク駆動機構８を収容する筐体２とを備えている。また、ディスク駆動機構８は、ディスク７を着脱可能に装着するターンテーブル９と、ターンテーブル９が取り付けられた回転軸１０を有するスピンドルモータ１１と、ディスク圧着面によってディスク７をターンテーブル９のディスク基準面上に圧着して固定するチャッキングプリー１２とを有する。このディスク駆動装置８は、メカシャーシ１３に固定されている。
【００２５】
また、図２に示す１４は、上述したディスク７を収納するためのディスクトレイである。また、筐体２は、ディスクトレイ１４が出入りするための出入り口５を有し筐体２の前面を構成する筐体前面部３と、筐体前面部３を除いた側面と筐体２の上面を構成するトップケース４と、筐体２の下面を構成するボトムプレート１５とを有する。ボトムプレート１５上には、ディスク装置１全体を制御するプリント配線基板ＰＷＢが配置されている。プリント配線基板、スピンドルモータ、光ピックアップが多くの熱を発する箇所である。また、筐体２内には、筐体前面部３と、トップケース４と、メインシャーシ１６とによりディスク収納室１７が形成されている。このメインシャーシ１６が隔壁に対応している。また、図２において、図中矢印は空気の流れる方向を示している。
【００２６】
トップケース４の上面には、ディスク収納室１７内に外気を吸気するための第１の開口部１８が形成されている。このように、本実施の形態では、トップケース４の上面に、ディスク収納室１７内に外気を吸気するための第１の開口部１８を形成するようにしたので、この第１の開口部１８を介して、ディスク収納室１７内に外気を吸気することができる。これにより、ディスク装置１内部の温度上昇を抑制することができる。
【００２７】
さらに、この第１の開口部１８は、トップケース４の上面のスピンドルモータ１１の回転軸１０上に形成されるようにすることが好ましい。このように第１の開口部１８を、スピンドルモータ１１の回転軸１０上に形成するようにすることにより、筐体２上面のディスク７が回転する中心位置に第１の開口部１８を形成することができる。このため、ディスク７の中心付近は、ディスク７が回転することにより気圧が低くなるので、トップケース４上面のスピンドルモータ１１の回転軸１０上に、この第１の開口部１８を形成することにより、外気をより効率よくディスク収容室１７内に吸気することができる。
【００２８】
（第２の実施の形態）
次に、第２の実施の形態について説明する。本実施の形態は、第１の実施の形態で説明した第１の開口部１８の他に、トップケース４の側面に第２の開口部２２を設けたものである。なお、第１の実施の形態で説明した箇所については同一符号を付するものとし、その説明を省略する。
【００２９】
図３は、第２の実施の形態に係るディスク装置を説明するための図である。図３に示すように、ディスク装置２１のトップケース４の上面には、第１の実施の形態と同様に、ディスク収納室１７内に外気を吸気するための第１の開口部１８が形成されている。この第１の開口部１８は、トップケース４の上面のスピンドルモータ１１の回転軸１０上に形成されている。さらに、筐体２を構成するトップケース４の側面には、ディスク収納室１７内の空気をディスク収納室１７の外部に排出するための第２の開口部２２が設けられている。
【００３０】
上記構成により、第１の開口部１８から吸気された外気は、ディスク室１７内を通って、第２の開口部２２より排気される。
【００３１】
本実施の形態では、トップケース４の上面に、ディスク収納室１７内に外気を吸気するための第１の開口部１８を形成するようにしたので、この第１の開口部１８を介して、ディスク収納室１７内に外気を吸気することができる。これにより、ディスク装置１内部の温度上昇を抑制することができる。
【００３２】
また、このように第１の開口部１８を、スピンドルモータ１１の回転軸１０上に形成するようにしたので、筐体２上面のディスク７が回転する中心位置に第１の開口部１８を形成することができる。ディスク７の中心付近は、ディスク７が回転することにより気圧が低くなるので、トップケース４上面のスピンドルモータ１１の回転軸１０上に、この第１の開口部１８を形成することにより、外気をより効率よくディスク収容室１７内に吸気することができる。
【００３３】
さらに、筐体２を構成するトップケース４の側面に、ディスク収納室１７内の空気をディスク収納室１７の外部に排出するための第２の開口部２２を設けるようにしたので、この第２の開口部２２を通じてディスク収納室１７内の空気を外部に排出することができる。これにより、第１の開口部１８のみを設けた場合よりも整流効果が多いため、さらに、ディスク装置２１内部の温度上昇を抑制することができるとともに、外気に含まれる塵埃がディスク装置２１内に堆積するのを防止することもできる。
【００３４】
（第３の実施の形態）
次に、第３の実施の形態について説明する。図４は、第３の実施の形態に係るディスク装置の外観斜視図である。３１はディスク装置、２は筐体、３は筐体２の前面を構成する筐体前面部、４は筐体２の筐体前面部３を除いた側面部と上面部を形成するトップケース、５はディスクトレイの出入り口、１８は第１の開口部、３５は後述する案内路の外気導入口をそれぞれ示している。また、図５は、第３の実施の形態に係るディスク装置を説明するための図であって、図４のＢ−Ｂ断面図である。なお、第１及び第２の実施の形態と同一の箇所には同一符号を用いるとともに、その説明を省略する。
【００３５】
図５に示すように、ディスク装置３１のトップケース４の上面には、第１及び第２の実施の形態と同様に、ディスク収納室１７内に外気を吸気するための第１の開口部１８が形成されている。この第１の開口部１８は、トップケース４の上面のスピンドルモータ１１の回転軸１０上に形成されている。
【００３６】
また、筐体２を構成するトップケース４の側面には、第２の実施の形態と同様に、ディスク収納室１７内の空気をディスク収納室１７の外部に排出するための第２の開口部２２が設けられている。更に、メインシャーシ１６には、外気を吸気するための第３の開口部３２が設けられている。また、メインシャーシ１６とプリント配線基板ＰＷＢの間には、第３の開口部３２に外気を案内するための案内路３３、３４が設けられている。この案内路３３と筐体前面部３とを接続する箇所には、案内路３３に外気を導入するための外気導入口３５が設けられている。また、案内路３４とトップケース４の側面とを接続する箇所には、案内路３４に外気を導入するための外気導入口３６が設けられている。
【００３７】
上記構成により、第１の案内部１８が吸気された外気は、ディスク室１７内を通って、第２の開口部２２より排気される。また、外気導入口３５、３６を介して導入された外気は、案内路３３、３４を介して、第３の開口部３２に案内され、この第３の開口部３２からディスク収納室１７内に吸気され、第２の開口部２２を介して外部に排気される。
【００３８】
本実施の形態によれば、トップケース４の上面に、ディスク収納室１７内に外気を吸気するための第１の開口部１８を形成するようにしたので、この第１の開口部１８を介して、ディスク収納室１７内に外気を吸気することができる。これにより、ディスク装置１内部の温度上昇を抑制することができる。
【００３９】
また、このように第１の開口部１８を、スピンドルモータ１１の回転軸１０上に形成するようにしたので、筐体２上面のディスク７が回転する中心位置に第１の開口部１８を形成することができる。ディスク７の中心付近は、ディスク７が回転することにより気圧が低くなるので、トップケース４上面のスピンドルモータ１１の回転軸１０上に、この第１の開口部１８を形成することにより、外気をより効率よくディスク収容室１７内に吸気することができる。
【００４０】
さらに、筐体２を構成するトップケース４の側面に、ディスク収納室１７内の空気をディスク収納室１７の外部に排出するための第２の開口部２２を設けるようにしたので、この第２の開口部２２を通じてディスク収納室１７内の空気を外部に排出することができる。これにより、第１の開口部１８のみを設けた場合よりも整流効果が多いため、さらに、ディスク装置３１内部の温度上昇を抑制することができるとともに、外気に含まれる塵埃がディスク装置３１内に堆積するのを防止することもできる。
【００４１】
また、メインシャーシ１６に、外気を吸気するための第３の開口部３２を設けたので、この第３の開口部３２を通じてディスク収納室１７内にさらに多くの外気を吸気することができる。これにより、ディスク装置内部の温度上昇を抑制することができる。また、第３の開口部３２に外気を案内するための案内路３３、３４を設けたので、外気導入口３５、３６を介して導入された外気は、この案内路３３、３４を通じて第３の開口部３２に案内される。これにより、ディスク装置３１内部の温度上昇をさらに抑制することができる。
【００４２】
（第４の実施の形態）
次に、第４の実施の形態について説明する。図６は、第４の実施の形態に係るディスク装置の外観斜視図である。図中４５は後述する外気導入口を示している。図７は、第４の実施の形態に係るディスク装置を説明するための図であり、図６のＣ−Ｃ断面図を示している。図７に示すように、ディスク装置４１は、ディスク７を駆動するディスク駆動機構８と、このディスク駆動機構８を収容する筐体２とを備えている。
【００４３】
また、ディスク駆動機構８は、ディスク７を着脱可能に装着するターンテーブル９と、ターンテーブル９が取り付けられた回転軸１０を有するスピンドルモータ１１と、ディスク圧着面によってディスク７をターンテーブル９のディスク基準面上に圧着して固定するチャッキングプリー１２とを有する。このディスク駆動装置８は、メカシャーシ１３に固定されている。また、１４はディスク７を収納するためのディスクトレイである。
【００４４】
また、筐体２は、ディスクトレイ１４が出入りするための出入り口５を有し、筐体２の前面を構成する筐体前面部３と、筐体前面部３を除いた側面と筐体２の上面を構成するトップケース４と、筐体２の下面を構成するボトムプレート１５とを有する。ボトムプレート１５上には、ディスク装置１全体を制御するプリント配線基板ＰＷＢが配置されている。筐体前面部３と、トップケース４と、メインシャーシ１６とによりディスク収納室１７が形成されている。図７において、矢印は空気の流れる方向を示している。
【００４５】
また、メインシャーシ１６には、外気を吸気するための第１の開口部４２が設けられている。本実施の形態では、この第１の開口部４２は、円形に形成している。この第１の開口部４２は、メインシャーシ１６のスピンドルモータ１１の回転軸１０上に形成されるようにすることが好ましい。この第１の開口部４２に外気を案内するための案内路４３、４４が設けられている。本実施の形態では、この案内路４３、４４は、メインシャーシ１６とプリント配線基板ＰＷＢにより形成されているが、これに限定されない。この案内路４３と筐体前面部３とを接続する箇所には、案内路４３に外気を導入するための外気導入口４５が設けられている。案内路４４とトップケース４の側面とを接続する箇所には、案内路４４に外気を導入するための外気導入口４６が設けられている。
【００４６】
上記構成により、外気導入口４５、４６を介して導入された外気は、案内路４３、４４を介して、第１の開口部４２に案内され、この第１の開口部４２からディスク収納室１７内に吸気される。
【００４７】
本実施の形態によれば、メインシャーシ１６に、ディスク収納室１７内に外気を吸気するための第１の開口部４２を形成するようにしたので、この第１の開口部４２を介して、ディスク収納室１７内に外気を吸気することができる。これにより、ディスク装置４１内部の温度上昇を抑制することができる。
【００４８】
また、第１の開口部４２に外気を案内するための案内路４３、４４を設けたので、外気導入口４５、４６を介して導入された外気は、この案内路４３、４４を通じて第１の開口部４２に案内される。これにより、ディスク装置４１内部の温度上昇をさらに抑制することができる。
【００４９】
（第５の実施の形態）
次に、第５の実施の形態について説明する。図８は、第５の実施の形態に係るディスク装置を説明するための図である。本実施の形態は、第４の実施の形態で説明した第１の開口部４２の他に、トップケース４の側面に第２の開口部５２を設けたものである。なお、第４の実施の形態で説明した箇所については同一符号を用いるものとし、その説明を省略する。
【００５０】
図８は、第５の実施の形態に係るディスク装置を説明するための図である。図８に示すように、メインシャーシ１６は、外気を吸気するための第１の開口部４２を有している。この第１の開口部４２は、メインシャーシ１６のスピンドルモータ１１の回転軸１０上に形成されるようにすることが好ましい。また、筐体２を構成するトップケース４の側面には、ディスク収納室１７内の空気をディスク収納室１７の外部に排出するための第２の開口部５２が設けられている。
【００５１】
上記構成により、外気導入口４５、４６を介して導入された外気は、案内路４３、４４を介して、第１の開口部４２に案内され、この第１の開口部４２からディスク収納室１７内に吸気され、第２の開口部５２を介して外部に排気される。
【００５２】
本実施の形態によれば、メインシャーシ１６に、ディスク収納室１７内に外気を吸気するための第１の開口部４２を形成するようにしたので、この第１の開口部４２を介して、ディスク収納室１７内に外気を吸気することができる。これにより、ディスク装置４１内部の温度上昇を抑制することができる。また、第１の開口部４２に外気を案内するための案内路４３、４４を設けたので、外気導入口４５、４６を介して導入された外気は、この案内路４３、４４を通じて第１の開口部４２に案内される。これにより、ディスク装置５１内部の温度上昇をさらに抑制することができる。
【００５３】
また、筐体２を構成するトップケース４の側面に、ディスク収納室１７内の空気をディスク収納室１７の外部に排出するための第２の開口部５２を設けるようにしたので、この第２の開口部５２を通じてディスク収納室１７内の空気を外部に排出することができる。これにより、第１の開口部４２のみを設けた場合よりも整流効果が多いため、ディスク装置５１内部の温度上昇をさらに抑制することができるとともに、外気に含まれる塵埃がディスク装置５１内に堆積するのを防止することもできる。
【００５４】
（第６の実施の形態）
次に、第６の実施形態に係るディスク装置について、図面を参照しながら説明する。図９は、第６の実施の形態に係るディスク装置を説明するための図であり、（ａ）は平面図、（ｂ）は（ａ）のＤ−Ｄ断面図、（ｃ）は正面図、（ｄ）は側面図である。図９において、６１はディスク装置、２は筐体、３は筐体２の前面を構成する筐体前面部、４は筐体２の筐体前面部３を除いた側面部と上面部を形成するトップケース、６８は第１の開口部、６９及び７０は第２の開口部、７１及び７２は案内路、７３Ａは塵埃堆積面、７３Ｂ、７３Ｃは塵埃堆積面をそれぞれ示している。なお、第２の開口部７０は、第２の開口部６９と対象のものである。また、図９において、矢印は空気の流れる方向を示している。
【００５５】
第１の開口部６８は、トップケース４の上面に形成され、ディスク収納室１７内に外気を吸気するためのものである。また、塵埃堆積面７３Ａは、塵埃を堆積させるためのものであり、第１の開口部６８とディスク収容室１７との間に形成されている。この塵埃堆積面により、第１の開口部６８から入った塵埃を堆積させることができるため、ディスク収容室１７内に塵埃が侵入する量を少なくすることができる。なお、この塵埃堆積面７３Ａは、筐体２の外観面より１段低く絞った外形面に形成されている。
【００５６】
また、トップケース４の上面には、第１の開口部６８に外気を案内するための案内路７１が形成されている。このため、第１の開口部６８からディスク収納室１７内に外気を効果的に案内することができる。例えば、後面からの外気を第１の開口部６８に案内することができる。これにより、ディスク収容室１７内の温度上昇を抑制することができる。
【００５７】
また、図９（ａ）に示すように、第１の開口部６８の上部を覆う部材７３を設けるようにしてもよい。これにより、塵埃がディスク収容室内１７に直接侵入することを防止できる。この部材７３は、シリアルラベルのようなラベル状のものでもよいがこれには限定されない。
【００５８】
また、第２の開口部６９、７０は、トップケース４の側面に形成され、ディスク収納室１７内に外気を吸気するためのものである。この第２の開口部６９、７０とディスク収容室１７との間に、塵埃を堆積させるための塵埃堆積面７３Ｂ、７３Ｃが形成されているため、第２の開口部６９、７０から入った塵埃を塵埃堆積面７３Ｂ、７３Ｃに堆積させることができる。これにより、ディスク収容室１７内に入る塵埃の量を少なくすることができる。
【００５９】
また、トップケース４の側面には、第２の開口部６９、７０に外気を案内するための案内路７２が形成されている。このため、第２の開口部６９、７０に外気を案内することができる。また、左右側面に取り付けフレームと空間を確保できるため、第２の開口部６９、７０を塞がらないようにすることができる。また、上面又は下面からの外気を第２の開口部６９、７０に案内することもできる。
【００６０】
また、図示は省略するが、第２の開口部６９、７０の上部を覆う部材を設けるようにしてもよい。これにより、塵埃が直接侵入して堆積するのを防止することができる。なお、本実施の形態では、第１の開口部６８及び第２の開口部６９、７０は、円形に形成されているがこれには限定されない。また、部材７３は、第１の開口部７３の上部だけを覆うようにしているが、案内路７１の上部を覆うようにしてもよい。
【００６１】
図９では詳細な説明を省略するが、第１から第５の実施の形態と同様に、ディスク装置６１の内部には、ディスクを駆動するディスク駆動機構を備えている。また、ディスク駆動機構は、ディスクを着脱可能に装着するターンテーブルと、ターンテーブルが取り付けられた回転軸を有するスピンドルモータと、ディスク圧着面によってディスクをターンテーブルのディスク基準面上に圧着して固定するチャッキングプリーとを有する。
【００６２】
従来、例えばビルドインタイプのＣＤドライブ装置は、ＰＣ（パーソナルコンピュータ）ケースに配置されると、前後、背面以外の面からの空気の取り入れが困難である。特に、左右側面は穴を設けても取り付けによってふさがれてしまう場合が多い。この点、本実施の形態によれば、案内路７１、７２を設けることによりこの問題点を解決することができる。また、従来、天面に熱気を逃がす為の穴を設けた場合、上部に開口したその穴から塵埃が侵入しやすくなるが、本実施の形態によれば、第１の開口部６８、第２の開口部６９、７０を覆う部材７１を設けるようにしたので、上記問題点を解決できる。
【００６３】
以上、本発明の一実施の形態を説明した。本発明は上記実施の形態に限定されるものではなく、本発明の要旨の範囲内において種々の変形実施が可能である。
【００６４】
【発明の効果】
以上説明した本発明によれば、筐体上面に、ディスク収納室内に外気を吸気するための開口部を設けたので、この開口部を介して、ディスク収納室内に外気を吸気することにより、ディスク装置内部の温度上昇を抑制することができる。
【図面の簡単な説明】
【図１】第１の実施の形態に係るディスク装置の外観斜視図を示している。
【図２】第１の実施の形態に係るディスク装置を説明するための図であって、図１のＡ―Ａ断面図を示している。
【図３】第２の実施の形態に係るディスク装置を説明するための図である。
【図４】第３の実施の形態に係るディスク装置の外観斜視図である。
【図５】第３の実施の形態に係るディスク装置を説明するための図であって、図４のＢ−Ｂ断面図である。
【図６】第４の実施の形態に係るディスク装置の外観斜視図である。
【図７】第４の実施の形態に係るディスク装置を説明するための図である。
【図８】第５の実施の形態に係るディスク装置を説明するための図である。
【図９】第６の実施の形態に係るディスク装置を説明するための図である。
【図１０】従来のディスク装置を説明するための図である。
【符号の説明】
１、２１、３１、４１、５１  ディスク装置
１８  第１の開口部
２２  第２の開口部
３２  第３の開口部
３３、３４  案内路
３５、３６  外気導入口
４２  第１の開口部
４３、４４  案内路
４５、４６  外気導入口
５２  第１の開口部
６８  第１の開口部
６９、７０  第２の開口部
７１、７２  案内路
７３Ａ、７３Ｂ、７３Ｃ  塵埃堆積面
７４  部材
【図１】
2004241024.tif 000003
【図２】
2004241024.tif 000004
【図３】
2004241024.tif 000005
【図４】
2004241024.tif 000006
【図５】
2004241024.tif 000007
【図６】
2004241024.tif 000008
【図７】
2004241024.tif 000009
【図８】
2004241024.tif 000010
【図９】
2004241024.tif 000011
【図１０】
2004241024.tif 000012